(57)【要約】【課題】  幅寸法をＳ１＜Ｓ１とされた幅狭ケースと幅広ケースの何れについても起立姿勢で保持できるようにした兼用型の商品展示スタンドを提供する。【解決手段】  ベース本体と、該ベース本体の両側に取付けられる一対のアタッチメントとから構成されている。ベース本体は、ベース板に間隔をあけてほぼ平行に立設された保持板を列設することにより、該保持板間に幅狭ケースの下端近傍部を挟持する中央保持溝を形成している。一対のアタッチメントは、ベース本体の両側に取付けられた状態で、幅広ケースの下端両端近傍部を挟持する両側保持溝を形成している。前記アタッチメントをベース本体に取付けた状態で、前記両側保持溝が中央保持溝よりも上位に配置されるように構成されている。【選択図】  図１
2005278732.tif 000002
【特許請求の範囲】
【請求項１】
幅寸法をＳ１＜Ｓ２とされた幅狭ケース(C1)と幅広ケース(C2)を起立姿勢で保持するケース展示スタンドであって、ベース本体(1)と、該ベース本体の両側に取付けられる一対のアタッチメント(12)(12)とから構成されており、
ベース本体(1)は、ベース板(2)に間隔をあけてほぼ平行に立設された保持板(3)を列設することにより、該保持板(3)(3)間に幅狭ケース(C1)の下端近傍部を挟持する中央保持溝(4)を形成し、
一対のアタッチメント(12)(12)は、ベース本体(1)の両側に取付けられた状態で、幅広ケース(C2)の下端両端近傍部を挟持する両側保持溝(15)を形成しており、
前記アタッチメント(12)(12)をベース本体(1)に取付けた状態で、前記両側保持溝(15)が中央保持溝(4)よりも上位に配置されるように構成されて成ることを特徴とする商品展示スタンド。
【請求項２】
ベース本体(1)は、中央保持溝(4)に挟持された幅狭ケース(C1)の両端外側面に臨むガイド手段(9)(9)を保持板(3)の列設方向に延設しており、
一対のアタッチメント(12)(12)は、前記ガイド手段(9)を着脱自在に抱持する取付手段(13)と、幅広ケース(C2)の下端両端近傍部を挟持する両側保持溝(15)の外側面を被う側壁板(14)を備えて成ることを特徴とする請求項１に記載の商品展示スタンド。
【発明の詳細な説明】
【技術分野】
【０００１】
本発明は、商品収納ケースの展示スタンドに関し、特に、幅寸法をＳ１＜Ｓ１とされた幅狭ケースと幅広ケースの何れについても起立姿勢で保持できるようにした兼用型の展示スタンドに関する。
【背景技術】
【０００２】
従来、ＣＤやＤＶＤのようなディスク等のソフト記録媒体（以下「商品」という。）は保護ケースに収納されているが、これを店舗において販売又は貸出に供する場合、商品を外装ケースに収納した状態で展示される。
【０００３】
例えば、レンタルショップにおいて、外装ケースは、顧客が自由に開蓋できないように施錠装置が設けられている。このような外装ケースは、商品を直接に外装ケースに収納できるようにしたものと、商品を保護ケースに収納した状態で更に外装ケースに収納できるようにしたものとが存在するが、何れの場合においても、保護ケースの幅寸法Ｓ１に対して外装ケースの幅寸法Ｓ２がＳ１＜Ｓ２とされている。即ち、保護ケースは幅寸法Ｓ１とされた幅狭ケースを構成し、外装ケースは幅寸法Ｓ２とされた幅広ケースを構成する。
【０００４】
通常、店舗においては、多数の外装ケースを棚板等の陳列面に横並び積層状に起立保持せしめることにより展示されている。このため、展示用のスタンドが提供されている（以下このような外装ケースに収納された商品を「営業中商品」といい、これを陳列するための展示スタンドを「営業中商品スタンド」という）。
【特許文献１】特開２００３−３３９４９４公報
【発明の開示】
【発明が解決しようとする課題】
【０００５】
レンタルショップの場合、顧客は、貸出を希望する商品を選択すると、該商品が収納された外装ケースをカウンターに持参し、貸出手続を行う。貸出に際して、店舗の従業員は、外装ケースを解錠した後、商品を取出し、該商品を保護ケースに収納した状態て顧客に引き渡す。
【０００６】
顧客は、貸出を受けた商品を店舗に返却する場合、該商品を保護ケースに収納した状態で店舗の所定場所に返却する。通常は、店舗のカウンターの近傍個所に設けられた返却ボックスに投入される。
【０００７】
そこで、店舗の従業員は、返却された商品を確認の上、仕分けし、改めて外装ケースに収納して施錠した後、再び、所定の棚板等の陳列面に展示することにより営業を行う。然しながら、繁忙時等においては、返却された商品が棚板等の陳列面に戻されないままカウンターの近辺に散乱した状態で放置されるのが現状である。
【０００８】
このため、返却された商品は、陳列棚等の陳列面に戻されずに放置されている期間中、顧客により貸出されることはなく、その間の営業効率を低下するという問題がある。
【課題を解決するための手段】
【０００９】
本発明は、返却された商品を陳列棚等の陳列面に戻されるまでの間、カウンター等において陳列し展示すれば、顧客が貸出を希望したとき、営業上有利であることを知見し、このような休眠商品の展示を可能にしたスタンドを提供するものである（以下このような返却後で陳列面に戻されるまでの間の商品を「休眠中商品」といい、これを陳列するための展示スタンドを「休眠中商品スタンド」という）。
【００１０】
ところで、このような休眠中商品は、幅狭ケースを構成する保護ケースに収納されているため、営業中商品を展示するために店舗に既設されている営業中商品スタンドをそのまま利用することができない。
【００１１】
この点に関して、休眠中商品を展示するための特製の休眠中商品スタンドを提供することも考えられるが、元来、一つの店舗における休眠中商品の数量とその陳列スペースには限りがあるから、特注によりコスト高を招来することは望ましくない。
【００１２】
このため、本発明は、大量消費される営業中商品スタンドと、少量消費される休眠中商品スタンドを兼用できる展示スタンドを提供するのが有利であることを知得した。
【００１３】
そこで、本発明が手段として構成したところは、幅寸法をＳ１＜Ｓ２とされた幅狭ケースと幅広ケースを起立姿勢で保持するケース展示スタンドであって、ベース本体と、該ベース本体の両側に取付けられる一対のアタッチメントとから構成されており、ベース本体は、ベース板に間隔をあけてほぼ平行に立設された保持板を列設することにより、該保持板間に幅狭ケースの下端近傍部を挟持する中央保持溝を形成し、一対のアタッチメントは、ベース本体の両側に取付けられた状態で、幅広ケースの下端両端近傍部を挟持する両側保持溝を形成しており、前記アタッチメントをベース本体に取付けた状態で、前記両側保持溝が中央保持溝よりも上位に配置されるように構成されて成る点にある。
【００１４】
本発明の実施形態において、ベース本体は、中央保持溝に挟持された幅狭ケースの両端外側面に臨むガイド手段を保持板の列設方向に延設している。これに対して、一対のアタッチメントは、前記ガイド手段を着脱自在に抱持する取付手段と、幅広ケースの下端両端近傍部を挟持する両側保持溝の外側面を被う側壁板を備えている。
【発明の効果】
【００１５】
本発明によれば、幅狭ケース（例えば上述の休眠中商品）を展示するための展示スタンド（上述の休眠中商品スタンド）と、幅広ケース（例えば上述の営業中商品）を展示するための展示スタンド（上述の営業中商品スタンド）を兼用したスタンドを提供することができる。
【００１６】
即ち、ベース本体だけを使用すれば、幅狭ケースの展示スタンドが提供される。ベース本体は、ベース板に間隔をあけてほぼ平行に立設された保持板を列設することにより、該保持板間に幅狭ケースの下端近傍部を挟持する中央保持溝を形成している。従って、このようなベース本体をレンタルショップのカウンター等に設置しておけば、返却後で陳列面に戻されるまでの間の休眠中商品を中央保持溝に保持せしめることにより、起立姿勢で展示することができ、顧客が任意に休眠中商品の中から貸出を希望する商品を見つけることができるので、営業上極めて有利となる。
【００１７】
一方、ベース本体の両側にアタッチメントを取付けた状態で使用すれば、幅広ケースの展示スタンドが提供される。一対のアタッチメントは、ベース本体の両側に取付けられた状態で、幅広ケースの下端両端近傍部を挟持する両側保持溝を形成している。従って、レンタルショップの陳列棚の陳列面等に設置しておけば、仕分けされた営業中商品を両側保持溝に保持せしめることにより、起立姿勢で展示することができ、本来の営業中商品の展示スタンドとして使用することができる。
【００１８】
この際、一対のアタッチメントは、ベース本体に取付けた状態で、両側保持溝を中央保持溝よりも上位に配置されるように構成されているので、幅広ケースの底部がベース本体の保持板に干渉することはなく、好適に起立姿勢で保持される。
【００１９】
ところで、請求項２に記載の本発明によれば、ベース本体は、中央保持溝に挟持された幅狭ケースの両端外側面に臨むガイド手段を保持板の列設方向に延設しているので、幅狭ケースを展示するに際して、ガイド手段により幅狭ケースが幅方向に遊動しないように規制し、幅狭ケースを所定の起立姿勢に保持するという効果がある。
【００２０】
そして、一対のアタッチメントは、取付手段により前記ガイド手段を着脱自在に抱持する構成とされているので、ガイド手段が前述のような幅狭ケースの規制機能とアタッチメントの取付機能との二つの機能を兼備することができ、構造上、有利である。しかも、アタッチメントは、両側保持溝の外側面を被う側壁板を備えているので、側壁板により幅広ケースが幅方向に遊動しないように規制し、幅広ケースを所定の起立姿勢に保持するという効果がある。
【発明を実施するための最良の形態】
【００２１】
以下図面に基づいて本発明の好ましい実施形態を詳述する。
【００２２】
（ベース本体の構成）
ベース本体１は、合成樹脂により一体成形されている。図１及び図２に示すように、ベース本体１は、ベース板２に間隔をあけてほぼ平行に立設された保持板３を列設することにより、該保持板３、３間に中央保持溝４を形成している。図例の場合、８枚の保持板３がＸ軸方向に列設され、これによりＹ軸方向に平行な７本の中央保持溝４を形成しているが、これに限定されるものではない。
【００２３】
図示実施形態において、保持板３は、Ｙ軸方向に分割された板片３ａ、３ａを構成し、両板片３ａ、３ａの間に位置してベース本体１に孔５を貫設しており、多数の孔５がＸ軸方向に間隔をあけて列設されている。従って、該孔５にボルト又はビス等を挿入することにより、ベース本体１を陳列棚やカウンター等の据付け面に固着することができる。このようなベース本体１の固着方法は、据付け面が金属等の磁性体の場合、磁石により行うことも可能であり、このため、図６に示すように、ベース板２の底面に永久磁石シートを嵌入可能とする凹部６を設けておくのが好ましい。
【００２４】
保持板３の列設方向（Ｘ軸方向）の両端に位置してベース板２には翼板７、８が設けられている。翼板７、８は、ベース板２の幅（Ｙ軸方向の長さ）を越えて延びる両端部を有しており、翼板７の両端部と翼板８の両端部にガイド手段９、９を架設している。
【００２５】
一方の翼板７は、図１に示すように、外側面における下縁と両側縁のコーナ部分に沿って延びる溝付の額縁リブ１０を設けている。他方の翼板８は、図２に示すように、両端近くに位置して下縁近傍部に下向きフック状の連結片１１を設けている。従って、図３及び図５に示すように、複数のベース本体１、１をＸ軸方向に列設するに際して、一方のベース本体１の一方の翼板７と、他方のベース本体１の他方の翼板８を重ね合わせた状態で、フック状の連結片１１が額縁リブ１０の溝に嵌合するように構成されている。
【００２６】
ガイド手段９、９は、図１及び図２並びに図６（Ａ）に示すように、断面が下向きほぼＵ形となる中空状に形成されると共に、内側部分の上面に断面円弧状となるアール面９ａを形成し、内側部分の下端に係止縁９ｂを設けている。
【００２７】
（ベース本体の使用態様）
上記構成のベース本体１によれば、図３及び図６（Ａ）に示すように、幅寸法Ｓ１とされた幅狭ケースＣ１を起立保持するための展示スタンド（例えば上述の休眠中商品スタンド）が提供される。尚、幅狭ケースＣ１は、上述のような保護ケースを構成するものであり、ディスク等の商品Ｍを収納している。保持板３、３の間に形成された中央保持溝４に幅狭ケースＣ１の下端を挿入すると、幅狭ケースＣ１は、下端近傍部を保持板３、３により挟持され、起立姿勢で保持される。この際、中央保持溝４の溝幅を幅狭ケースＣ１の厚さよりもやや大きく形成することにより、幅狭ケースＣ１は、図３に鎖線で示すように、所定角度の範囲で傾動可能となるので、該幅狭ケースＣ１に添設されたジャケットを容易に視認することができる。従って、多数の中央保持溝４に多数の幅狭ケースＣ１を保持せしめた状態で、ジャケットを参照することにより所望の商品Ｍを収納した幅狭ケースＣ１を探すことが容易となる。
【００２８】
幅狭ケースＣ１を中央保持溝４に挿入する際、ガイド手段９にはアール面９ａが形成されているので、幅狭ケースＣ１を中央保持溝４に対して無造作に挿入しても、幅狭ケースＣ１の下端部両端がアール面９ａ、９ａに案内され、幅狭ケースＣ１を中央保持溝４に向けて位置決めしながら進入せしめる。そして、中央保持溝４に保持された状態で、幅狭ケースＣ１は、ガイド手段９、９により幅方向に遊動しないように規制される。
【００２９】
（アタッチメントの構成）
一対のアタッチメント１２、１２は、それぞれ合成樹脂により一体成形されており、ベース本体１の両側に着脱自在に取付けられるように構成されている。図１及び図２に示すように、一対のアタッチメント１２、１２は、相互に対称形状に形成されており、それぞれベース本体１のガイド手段９、９を着脱自在に抱持する取付手段１３と、取付状態でベース本体１の両側を被う側壁板１４と、該側壁板１４の内側面に形成された上向き櫛歯状の両側保持溝１５を備えている。
【００３０】
アタッチメント１２の取付手段１３は、図１及び図２並びに図６（Ｂ）に示すように、ガイド手段９を上方から抱持した状態で係止縁９ｂに係止される爪１３ａを備えている。また、アタッチメント１２の側壁板１４の一端部には、ベース本体１の額縁リブ１０の上端に当接し、該額縁リブ１０の溝１０ａに連通する溝１６ａを有する延長額縁リブ１６が設けられている。
【００３１】
（アタッチメントの使用態様）
一対のアタッチメント１２、１２は、取付手段１３によりベース本体１のガイド手段９を抱持せしめることにより、図４に示すようにベース本体１の両側に取付けられ、この状態で、図５及び図６（Ｂ）に示すように、幅寸法Ｓ２とされた幅広ケースＣ２を起立保持するための展示スタンド（例えば上述の営業中商品スタンド）として提供される。
【００３２】
ベース本体１にアタッチメント１２、１２を取付けた状態で、展示スタンドの一端部には、額縁リブ１０を延長額縁リブ１６により上方に延長された額縁が形成されるので、文字や図形等の情報を印刷表示した表示カード１７を溝１６ａ、１０ａに沿って挿入し保持せしめることができる。
【００３３】
両側に位置するアタッチメント１２、１２の両側保持溝１５、１５に跨がるように幅広ケースＣ２を挿入すると、幅広ケースＣ２は、下端両端近傍部を両側保持溝１５、１５に挟持され、起立姿勢で保持される。この際、両側保持溝１５の溝幅を幅広ケースＣ２の厚さよりもやや大きく形成することにより、幅広ケースＣ２は、図５に鎖線で示すように、所定角度の範囲で傾動可能となるので、該幅広ケースＣ２に添設されたジャケットを容易に視認することができる。従って、多数の両側保持溝１５に多数の幅広ケースＣ２を保持せしめた状態で、ジャケットを参照することにより所望の商品Ｍを収納した幅広ケースＣ２を探すことが容易となる。
【００３４】
一対のアタッチメント１２、１２は、ベース本体１の両側に取付けられた状態で、両側保持溝１５、１５がベース本体１の中央保持溝４よりも上位に配置されるように構成されている。従って、両側保持溝１５、１５に保持された幅広ケースＣ２の底部がベース本体１の保持板３に干渉することはなく、好適に起立姿勢で保持される。
【００３５】
図示実施形態の場合、両側保持溝１５は、前述したような幅広ケースＣ２の傾動を容易とするように溝底部を円弧状に形成しており、従って、幅広ケースＣ２を直立せしめた状態で該幅広ケースＣ２の底部が溝底部に接することはなく、円弧状に湾曲した縁部に接支されている。従って、好ましい実施例においては、図６（Ｂ）に示すように、ベース本体１の保持板３の高さをｈ１としたとき、前述のように幅広ケースＣ２の底部を支持する湾曲縁部により規定される両側保持溝１５の底部の高さｈ２を、ｈ１＝ｈ２に構成するか、或いは、図６（Ｃ）に示すように、ｈ１＞ｈ２となるように構成することが好ましい。
【００３６】
然しながら、ベース本体１にアタッチメント１２、１２を取付けた状態で、両側保持溝１２、１２が中央保持溝４の鉛直線上に位置するように構成され、幅広ケースＣ２の底部が中央保持溝４に臨むように構成されている場合は、両側保持溝１５の底部の高さｈ２が保持板３の高さｈ１よりもやや低くなるように構成しても良い。
【図面の簡単な説明】
【００３７】
【図１】本発明の１実施形態を正面側から示す分解斜視図である。
【図２】本発明の１実施形態を背面側から示す分解斜視図である。
【図３】ベース本体の使用態様であり、幅狭ケースの展示スタンドを示す斜視図である。
【図４】ベース本体にアタッチメントを取付けた状態を示す斜視図である。
【図５】アタッチメントの使用態様であり、幅広ケースの展示スタンドを示す斜視図である。
【図６】本発明の実施形態を示す断面図であり、（Ａ）は幅狭ケースの展示スタンドを示す断面図、（Ｂ）は幅広ケースの展示スタンドの１実施形態を示す断面図、（Ｃ）は幅広ケースの展示スタンドの他の実施形態を示す断面図である。
【符号の説明】
【００３８】
１    ベース本体
２    ベース板
３    保持板
４    中央保持溝
９    ガイド手段
９ａ  アール面
１２    アタッチメント
１３    取付手段
１４    側壁板
１５    両側保持溝
【図１】
2005278732.tif 000003
【図２】
2005278732.tif 000004
【図３】
2005278732.tif 000005
【図４】
2005278732.tif 000006
【図５】
2005278732.tif 000007
【図６】
2005278732.tif 000008